(57)【特許請求の範囲】
【請求項１】
チャネル品質インジケータ(CQI)を報告するためのワイヤレス通信の方法であって、
ユーザ機器(UE)によって、現在のサブフレームにおいて報告されるべき計算されたCQI値が、ダウンリンクチャネル上の決定論的ヌルスケジューリングによって影響を受けると決定するステップであって、
前記計算されたCQI値が、測定されたチャネル品質に基づき、
前記決定論的ヌルスケジューリングによってスケジューリングされたサブフレームは、前記ダウンリンクチャネルのダウンリンク送信から前記UEにより受信されない、ステップと、
前記計算されたCQI値に対する前記決定論的ヌルスケジューリングの影響を補償するCQI値である補償CQI値を前記UEによって決定するステップと、
前記計算されたCQI値が前記決定論的ヌルスケジューリングによって影響を受けるとの決定に応答して、前記計算されたCQI値と前記補償CQI値のうちの、より悪いチャネル品質を示す方を前記UEにより報告するステップと
を備える、方法。
【請求項２】
前記計算されたCQI値が前記決定論的ヌルスケジューリングによって影響を受けると決定するステップが、前記現在のサブフレームが前記決定論的ヌルスケジューリングを有するサブフレームの構成された時間期間内にあるか否かを決定するステップを備える、請求項1に記載の方法。
【請求項３】
前記計算されたCQI値が前記決定論的ヌルスケジューリングによって影響を受けると決定するステップが、前記決定論的ヌルスケジューリングが圧縮モードギャップの期間に発生することを決定するステップを備える、請求項1に記載の方法。
【請求項４】
前記計算されたCQI値が前記決定論的ヌルスケジューリングによって影響を受けると決定するステップが、前記現在のサブフレームが前記圧縮モードギャップの開始前の第1の時間期間内であることを決定するステップを備える、請求項3に記載の方法。
【請求項５】
前記計算されたCQI値が前記決定論的ヌルスケジューリングによって影響を受けると決定するステップが、前記現在のサブフレームが前記圧縮モードギャップに起因するスケジューリングの変更によって影響を受けると決定するステップを備える、請求項3に記載の方法。
【請求項６】
前記補償CQI値を決定するステップが、複数の直近にスケジューリングされたサブフレームについての平均的な報告されたCQI値を決定するステップを備える、請求項1に記載の方法。
【請求項７】
前記補償CQI値を決定するステップが、複数の直近にスケジューリングされたサブフレームの最小の報告されたCQI値を選択するステップを備える、請求項1に記載の方法。
【請求項８】
前記補償CQI値を決定するステップが、固定CQI値を使用するステップを備える、請求項1に記載の方法。
【請求項９】
前記補償CQI値を決定するステップが、別のCQI値を減少させるステップを備える、請求項1に記載の方法。
【請求項１０】
前記計算されたCQI値と前記補償CQI値のうちの、より悪いチャネル品質を示す方を報告するステップが、スケジューリングレートがしきい値よりも大きいことを決定することにさらに応答する、請求項1に記載の方法。
【請求項１１】
報告する前記ステップがさらに、UEが、圧縮モードがアクティブである専用チャネル状態において、アクティブな高速呼にあるとの決定に応答する、請求項1に記載の方法。
【請求項１２】
前記ダウンリンクチャネルが、高速物理ダウンリンク共有チャネル(HS-PDSCH)である、請求項1に記載の方法。
【請求項１３】
ワイヤレス通信においてチャネル品質インジケータ(CQI)を報告するための装置であって、
ダウンリンクチャネルのサブフレームを受信し、現在のサブフレームに対応する前記CQIを送信するように構成されたトランシーバと、
前記ダウンリンクチャネルのスケジューリング情報を記憶するように構成されたメモリと、
少なくとも1つのバスを介して前記トランシーバおよび前記メモリに通信可能に結合された少なくとも1つのプロセッサと
を備え、前記少なくとも1つのプロセッサが、
前記現在のサブフレームにおいて報告されるべき計算されたCQI値が、前記スケジューリング情報に基づいて、前記ダウンリンクチャネル上の決定論的ヌルスケジューリングによって影響を受けると決定することであって、
前記計算されたCQI値が、測定されたチャネル品質に基づき、
前記決定論的ヌルスケジューリングによってスケジューリングされたサブフレームは、前記ダウンリンクチャネルのダウンリンク送信から前記装置により受信されない、決定することと、
前記計算されたCQI値に対する前記決定論的ヌルスケジューリングの影響を補償するCQI値である補償CQI値を決定することと、
前記トランシーバを介して、前記計算されたCQI値が前記決定論的ヌルスケジューリングによって影響を受けるとの決定に応答して、前記計算されたCQI値と前記補償CQI値のうちの、より悪いチャネル品質を示す方を報告することと
を行うように構成される、装置。
【請求項１４】
前記少なくとも1つのプロセッサが、前記現在のサブフレームが前記決定論的ヌルスケジューリングを有するサブフレームの構成された時間期間内にある場合、前記計算されたCQI値が前記決定論的ヌルスケジューリングによって影響を受けると決定するように構成される、請求項13に記載の装置。
【請求項１５】
前記少なくとも1つのプロセッサは、前記決定論的ヌルスケジューリングが圧縮モードギャップの期間に発生するときに、前記計算されたCQI値が前記決定論的ヌルスケジューリングによって影響を受けると決定するように構成される、請求項13に記載の装置。
【請求項１６】
前記少なくとも1つのプロセッサが、前記現在のサブフレームが前記圧縮モードギャップの開始前の第1の時間期間内である場合、前記計算されたCQI値が前記決定論的ヌルスケジューリングによって影響を受けると決定するように構成される、請求項15に記載の装置。
【請求項１７】
アンテナと、
前記アンテナおよび前記トランシーバに結合された無線周波数(RF)フロントエンドであって、前記計算されたCQI値と前記補償CQI値のうちの、より悪いチャネル品質を示す方を高速専用制御チャネル上で前記アンテナを介してネットワークエンティティに送信することと、前記アンテナを介して前記ダウンリンクチャネルを受信することとを行うように構成された、RFフロントエンドと
をさらに備える、請求項13に記載の装置。
【請求項１８】
前記トランシーバが、前記RFフロントエンドによる測定に基づいて、前記現在のサブフレーム中の前記ダウンリンクチャネルのチャネル品質を決定するようにさらに構成され、前記少なくとも1つのプロセッサが、前記現在のサブフレーム中の前記ダウンリンクチャネルの前記チャネル品質に基づいて前記計算されたCQI値を決定するようにさらに構成される、請求項17に記載の装置。
【請求項１９】
前記メモリが、複数の直近にスケジューリングされたサブフレームごとに報告されたCQI値を記憶するようさらに構成され、前記少なくとも1つのプロセッサが、前記複数の直近にスケジューリングされたサブフレームの平均的な計算されたCQIを決定することによって前記補償CQI値を決定するように構成される、請求項13に記載の装置。
【請求項２０】
前記メモリが、複数の直近にスケジュールされたサブフレームごとに報告されたCQI値を記憶するようにさらに構成され、前記少なくとも1つのプロセッサが、前記複数の直近にスケジューリングされたサブフレームについて最小の報告されたCQIを選択することによって前記補償CQI値を決定するように構成される、請求項13に記載の装置。
【請求項２１】
前記少なくとも1つのプロセッサが、固定CQI値を使用することによって前記補償CQI値を決定するように構成される、請求項13に記載の装置。
【請求項２２】
前記少なくとも1つのプロセッサが、別のCQI値を減少させることによって、前記補償CQI値を決定するように構成される、請求項13に記載の装置。
【請求項２３】
前記少なくとも1つのプロセッサは、スケジューリングレートがしきい値よりも大きいか否かを決定するようにさらに構成され、前記計算されたCQI値と前記補償CQI値のうちの、より悪いチャネル品質を示す方を報告することが、前記スケジューリングレートが前記しきい値よりも大きいとの決定に応答する、請求項13に記載の装置。
【請求項２４】
前記少なくとも1つのプロセッサは、前記装置が、圧縮モードがアクティブである専用チャネル状態において、アクティブな高速呼にあるか否かを決定するようにさらに構成され、前記報告することは、前記装置が、前記圧縮モードがアクティブである前記専用チャネル状態において、前記アクティブな高速呼にあるとの決定に応答する、請求項13に記載の装置。
【請求項２５】
チャネル品質インジケータ(CQI)を報告するための装置であって、
ユーザ機器(UE)において、現在のサブフレームにおいて報告されるべき計算されたCQI値がダウンリンクチャネル上の決定論的ヌルスケジューリングによって影響を受けると決定するための手段であって、
前記計算されたCQI値が、測定されたチャネル品質に基づき、
前記決定論的ヌルスケジューリングによってスケジューリングされたサブフレームは、前記ダウンリンクチャネルのダウンリンク送信から前記UEにより受信されない、手段と、
前記計算されたCQI値に対する前記決定論的ヌルスケジューリングの影響を補償するCQI値である補償CQI値を決定するための手段と、
前記計算されたCQI値が前記決定論的ヌルスケジューリングによって影響を受けるとの決定に応答して、前記計算されたCQI値と前記補償CQI値のうちの、より悪いチャネル品質を示す方を報告するための手段と
を備える、装置。
【請求項２６】
前記現在のサブフレームにおいて報告されるべき前記計算されたCQI値が前記ダウンリンクチャネル上の前記決定論的ヌルスケジューリングによって影響を受けると決定するための前記手段がさらに、
前記決定論的ヌルスケジューリングが圧縮モードギャップの期間に発生すると決定し、
前記現在のサブフレームが、前記圧縮モードギャップの開始前の第1の時間期間内であるか否かを決定する
ためのものである、請求項25に記載の装置。
【請求項２７】
前記補償CQI値を決定するための前記手段が、さらに、
複数の直近にスケジューリングされたサブフレームの平均的な計算されたCQIを決定するため、
前記複数の直近にスケジューリングされたサブフレームの最小の計算されたCQIを選択するため、
固定CQI値を使用するため、または
別のCQI値を減少させるため
のものである、請求項25に記載の装置。
【請求項２８】
スケジューリングレートがしきい値よりも大きいか否かを決定するための手段をさらに備え、前記計算されたCQI値と前記補償CQI値のうちの、より悪いチャネル品質を示す方を報告することが、前記スケジューリングレートが前記しきい値よりも大きいとの決定に応答する、請求項25に記載の装置。
【請求項２９】
チャネル品質インジケータ(CQI)を報告するためのコンピュータ実行可能コードを記憶するコンピュータ可読記憶媒体であって、
ユーザ機器(UE)によって、現在のサブフレームにおいて報告されるべき計算されたCQI値が、ダウンリンクチャネル上の決定論的ヌルスケジューリングによって影響を受けると決定するためのコードであって、
前記計算されたCQI値が、測定されたチャネル品質に基づき、
前記決定論的ヌルスケジューリングによってスケジューリングされたサブフレームは、前記ダウンリンクチャネルのダウンリンク送信から前記UEにより受信されない、コードと、
前記計算されたCQI値に対する前記決定論的ヌルスケジューリングの影響を補償するCQI値である補償CQI値を決定するためのコードと、
前記計算されたCQI値が前記決定論的ヌルスケジューリングによって影響を受けるとの決定に応答して、前記計算されたCQI値と前記補償CQI値のうちの、より悪いチャネル品質を示す方を報告するためのコードと
を備える、コンピュータ可読記憶媒体。
【請求項３０】
前記現在のサブフレームにおいて報告されるべき前記計算されたCQI値が前記ダウンリンクチャネル上の前記決定論的ヌルスケジューリングによって影響を受けると決定するための前記コードが、
前記決定論的ヌルスケジューリングが圧縮モードギャップの期間に発生すると決定するためのコードと、
前記現在のサブフレームが、前記圧縮モードギャップの開始前の第1の時間期間内であるか否かを決定するためのコードを備える、請求項29に記載のコンピュータ可読記憶媒体。
【請求項３１】
前記スケジューリングレートが前記しきい値以下であるときに、前記計算されたCQIを報告するステップをさらに含む、請求項10に記載の方法。
【発明の詳細な説明】
【技術分野】
【０００１】
関連出願の相互参照
本出願は、2015年8月6日に出願された「CHANNEL QUALITY REPORTING FOR DETERMINISTIC NULL SCHEDULING」と題する米国非仮出願第14/819,782号、および2015年2月12日に出願された「CQI REPORTING FOR COMPRESSED MODE」と題する米国仮出願第62/115,537号の優先権を主張し、その全体が参照により本明細書に組み込まれる。
【０００２】
本開示の態様は、一般にワイヤレス通信システムに関し、より詳細には、ワイヤレス通信システムにおけるチャネル品質報告に関する。
【背景技術】
【０００３】
ワイヤレス通信ネットワークは、電話、ビデオ、データ、メッセージング、ブロードキャストなどの様々な通信サービスを提供するために広く展開されている。通常、多元接続ネットワークであるそのようなネットワークは、利用可能なネットワークリソースを共有することによって、複数のユーザのための通信をサポートする。そのようなネットワークの一例は、UMTS地上無線アクセスネットワーク(UTRAN)である。UTRANは、第3世代パートナーシッププロジェクト(3GPP)によってサポートされる第3世代(3G)モバイル電話技術である、ユニバーサル移動体通信システム(UMTS)の一部として定義される無線アクセスネットワーク(RAN)である。UMTSは、グローバルシステムフォーモバイルコミュニケーションズ(GSM(登録商標))技術の後継技術であり、広帯域符号分割多元接続(W-CDMA)、時分割符号分割多元接続(TD-CDMA)、および時分割同期符号分割多元接続(TD-SCDMA)などの様々なエアインターフェース標準規格を現在サポートしている。UMTSは、より高いデータ転送速度および容量を、関連するUMTSネットワークに提供する、高速パケットアクセス(HSPA)などの拡張3Gデータ通信プロトコルもサポートする。
【０００４】
モバイルブロードバンドアクセスの需要が増加し続けるにつれて、研究開発は、モバイルブロードバンドアクセスへの高まる需要を満たすためだけでなく、モバイル通信のユーザーエクスペリエンスを進歩および向上させるために、UMTS技術を引き続き推進している。
【０００５】
ワイヤレス通信ネットワークは、送信のための変調方式を決定するために、チャネル品質インジケータ(CQI)報告を使用することができる。たとえば、UEは、測定された信号対干渉雑音比(SINR)に基づいてCQI値を報告することができる。CQI値は、UEが現在のチャネル状態の下で復号することができるトランスポートブロックのサイズを基地局またはnodeBに示すことができる。一般に、より高いCQI値は、より良いチャネル状態、およびより大きいトランスポートブロックを(たとえば、より高い符号化レート、またはより高次の変調方式を用いて)復号する能力を示すことができる。UEによって報告されたCQI値がチャネル状態を正確に反映しない場合、nodeBは最良の変調方式を選択することができず、ブロックエラーレート(BLER)が増加するか、および/またはシステムスループットが低下する可能性がある。サブフレームのブロックエラーレートは、サブフレームブロックエラーレート(SBLER)と呼ばれ得る。したがって、より効果的なチャネル品質報告が望ましい。
【発明の概要】
【課題を解決するための手段】
【０００６】
以下は、そのような態様の基本的な理解を提供するために、1つまたは複数の態様の簡略化された概要を提示する。この概要は、すべての考えられる態様の広範囲な概観ではなく、すべての態様の重要なまたは決定的な要素を識別することも、すべてもしくは一部の態様の範囲を線引きすることも意図されていない。その目的は、後で提示されるより詳細な説明の前置きとして、1つまたは複数の態様のいくつかの概念を簡略化した形で提示することである。
【０００７】
本開示は、ワイヤレス通信においてチャネル品質インジケータ(CQI)を報告することを提供する。ユーザ機器(UE)は、現在のサブフレームにおいて報告されるべき計算されたCQI値が、ダウンリンクチャネル上の決定論的ヌルスケジューリングによって影響を受けると決定することができる。UEは、補償CQI値を決定することができる。UEは、計算されたCQI値が決定論的ヌルスケジューリングによって影響を受けるとの決定に応答して、計算されたCQI値と補償CQI値のうちの小さい方を報告することができる。一態様では、決定論的ヌルスケジューリングは圧縮モードギャップに関連付けられる。UEは、計算されたCQI値が、現在のサブフレームが圧縮モードギャップの開始前の第1の時間期間内であるか、または圧縮モードギャップの終了後の第2の時間期間内であるかを決定することによって、決定論的ヌルスケジューリングによって影響を受けるかどうかを決定することができる。
【０００８】
一態様では、本開示は、ワイヤレス通信の方法を提供する。本方法は、現在のサブフレームにおいて報告されるべき計算されたCQI値が、ダウンリンクチャネル上の決定論的ヌルスケジューリングによって影響を受けると決定するステップを含むことができる。本方法は、補償CQI値を決定するステップをさらに含むことができる。本方法はまた、計算されたCQI値が決定論的ヌルスケジューリングによって影響を受けるとの決定に応答して、計算されたCQI値と補償CQI値のうちの小さい方を報告するステップを含むことができる。
【０００９】
本方法の一態様では、計算されたCQI値が決定論的ヌルスケジューリングによって影響を受けるかどうかを決定するステップは、現在のサブフレームが決定論的ヌルスケジューリングを有するサブフレームの構成された時間期間内にあるかどうかを決定するステップを含むことができる。
【００１０】
本方法の一態様では、決定論的ヌルスケジューリングは圧縮モードギャップに関連付けられる。さらに、計算されたCQI値が、決定論的ヌルスケジューリングによって影響を受けるかどうかを決定するステップは、現在のサブフレームが圧縮モードギャップの開始前の第1の時間期間内であるか、または圧縮モードギャップの終了後の第2の時間期間内であるかを決定するステップを含むことができる。
【００１１】
本方法の他の態様では、補償CQI値を決定するステップは、複数の直近に報告されたサブフレームの平均的な計算されたCQI値を決定するステップ、複数の直近にスケジューリングされたサブフレームの最小の報告されたCQI値を選択するステップ、固定CQI値を使用するステップ、または別のCQI値を減少させるステップを含むことができる。
【００１２】
本方法の一態様では、報告するステップはさらに、スケジューリングレートがしきい値よりも大きいと決定するステップ、および/または、UEが、圧縮モードがアクティブである専用チャネル状態において、アクティブな高速呼にあるとの決定に応答する。ダウンリンクチャネルは、高速物理ダウンリンク共有チャネル(HS-PDSCH)であってもよい。
【００１３】
別の態様では、本開示は、CQIを報告するための装置を提供する。本装置は、トランシーバ、少なくとも1つのプロセッサ、および少なくとも1つのプロセッサに結合されたメモリを含むことができる。本トランシーバは、ダウンリンクチャネルのサブフレームを受信するように構成され得る。本メモリは、ダウンリンクチャネルのスケジューリング情報を記憶するように構成され得る。本プロセッサは、少なくとも1つのバスを介してメモリおよびトランシーバに通信可能に接続され得、現在のサブフレームにおいて報告されるべき計算されたCQI値がダウンリンクチャネル上の決定論的ヌルスケジューリングによって影響を受けると決定するように構成され得る。本プロセッサはさらに、補償CQI値を決定するように構成され得る。本プロセッサはまた、トランシーバを介して、計算されたCQI値が決定論的ヌルスケジューリングによって影響を受けるとの決定に応答して、計算されたCQI値と補償CQI値のうちの小さい方を報告するように構成され得る。
【００１４】
別の態様では、本開示は、CQIを報告するための別の装置を提供する。本装置は、現在のサブフレームにおいて報告されるべき計算されたCQI値がダウンリンクチャネル上の決定論的ヌルスケジューリングによって影響を受けると決定するための手段を含むことができる。本装置は、補償CQI値を決定するための手段をさらに含むことができる。本装置はまた、計算されたCQI値が決定論的ヌルスケジューリングによって影響を受けるとの決定に応答して、計算されたCQI値と補償CQI値のうちの小さい方を報告するための手段を含むことができる。
【００１５】
別の態様では、本開示は、CQIを報告するためのコンピュータ実行可能コードを記憶するコンピュータ可読媒体を提供する。本コンピュータ可読媒体は、現在のサブフレームにおいて報告されるべき計算されたCQI値が、ダウンリンクチャネル上の決定論的ヌルスケジューリングによって影響を受けると決定するためのコードを含むことができる。本コンピュータ可読媒体は、補償CQI値を決定するためのコードをさらに含むことができる。本コンピュータ可読媒体はまた、計算されたCQI値が決定論的ヌルスケジューリングによって影響を受けるとの決定に応答して、計算されたCQI値と補償CQI値のうちの小さい方を報告するためのコードを含むことができる。
【００１６】
本発明のこれらおよび他の態様は、以下の詳細な説明を検討することにより、より完全に理解されるであろう。
【図面の簡単な説明】
【００１７】
【図１】ユーザ機器と通信する基地局を含む例示的な通信ネットワークを示すブロック図である。
【図２】ワイヤレス通信の例示的な方法を示す流れ図である。
【図３】ワイヤレス通信の別の例示的な方法を示す流れ図である。
【図４】HSPAチャネルおよび圧縮モード送信ギャップのタイミングを示す図である。
【発明を実施するための形態】
【００１８】
添付の図面に関連して以下に述べる詳細な説明は、様々な構成の説明として意図されており、本明細書に記載された概念を実施できる唯一の構成を表すことが意図されるものではない。詳細な説明は、様々な概念の完全な理解を提供するための具体的な詳細を含む。しかしながら、これらの概念がこれらの具体的な詳細なしに実践される場合があることは当業者に明らかであろう。いくつかの例では、よく知られている構造および構成要素は、そのような概念を不明瞭にすることを避けるために、ブロック図形式で示されている。
【００１９】
ワイヤレス通信システムでは、UEによって決定されたCQI値は、決定論的ヌルスケジューリングによって影響を受ける可能性がある。決定論的ヌルスケジューリングは、UEがダウンリンク送信を受信するようにスケジューリングされないことをUEが決定することができる、任意のサブフレームを含むことができる。たとえば、圧縮モード送信ギャップ、接続モード不連続受信、またはスケジューリングパターンのために、決定論的ヌルスケジューリングが発生する可能性がある。たとえば、UEは、圧縮モード送信ギャップ中に肯定応答(ACK)または否定応答(NACK)を送信することができないことがある。したがって、基地局は、送信ギャップの開始前にサブフレームにおいてダウンリンクトラフィックを受信するようにUEをスケジューリングすることを控える場合がある。ダウンリンクトラフィックの欠如は、より高いCQI値を生成する測定をもたらす可能性がある。たとえば、チャネルエネルギー対干渉(Ec/Io)の共通パイロットチャネル(CPICH)比などの信号品質の測定は、ダウンリンクトラフィックおよびチャネル間干渉の欠如のために人為的にブーストされ得る。また、ダウンリンクトラフィックの欠如は、自動利得制御(AGC)の変動を引き起こす可能性がある。したがって、送信ギャップの直前に行われたCQI決定は、人為的に高くなる傾向があり得る。さらに、送信ギャップ中はダウンリンク測定値が利用可能ではないため、UEは、送信ギャップ後にCQI報告を送信することを防止され得る。したがって、基地局は、送信ギャップの前から人為的にブーストされたCQI値を使用し続けることができる。UEが他の理由でスケジューリングされていない場合、CQI値における同様の人為的な増加が生じることがある。CQI値の人為的な増加は、実際のチャネル状態を考慮するとUEが正しく復号することが非常に困難な変調方式またはトランスポートブロックサイズを、基地局が選択することにつながる可能性がある。送信ギャップを取り囲むサブフレームについて、サブフレームブロックエラーレート(SBLER)の増加が検出されている。SBLERが増加すると、トランスポートブロックが再送信される必要があるため、スループットが低下する可能性がある。
【００２０】
UEは、圧縮モードギャップによって影響を受けるサブフレームに対して補償CQI決定を使用することができる。一態様では、補償CQI決定は、一般に、測定に基づくCQI値よりも低いCQI値を生成することができる。したがって、補償CQI決定は、圧縮モードギャップに起因するCQIの人為的な増加を補償する代替のCQI値であってもよい。本明細書で使用される「計算されたCQI値」という用語は、最近の測定に基づくCQI値を指してもよい。計算されたCQI値は、圧縮モードギャップまたは他の決定論的ヌルスケジューリングによって影響を受けないサブフレームについて報告されてもよい。一方、補償CQI値は、拡張されたサブフレーム範囲の平均または最小CQI値に基づくことができる。UEは、チャネル状態が変化したかどうかを決定するために、影響を受けたサブフレームの間に補償CQI値を計算されたCQI値と比較することができる。したがって、UEは、計算されたCQI値または補償CQI値のうちの低い方を報告することができる。一態様では、補償CQI値は、UEが比較的高いスケジューリングレート(たとえば、高いダウンリンクトラフィックレート)を有する場合に使用され得る。補償CQI値は、UEのスケジューリングレートまたはデータレート(たとえば、トランスポートブロックサイズ)の減少をもたらし、BLERの減少およびスループットの実際の増加をもたらし得る。
【００２１】
図1を参照すると、一態様では、ワイヤレス通信システム10は、少なくとも1つのネットワークエンティティ14(たとえば、HSPAネットワーク内の基地局またはnodeB)の通信カバレージ内に少なくとも1つのUE12を含む。UE12は、ネットワークエンティティ14および無線ネットワークコントローラ(RNC)16を介してネットワーク18と通信することができる。いくつかの態様では、UE12を含む複数のUEは、ネットワークエンティティ14およびネットワークエンティティ20を含む1つまたは複数のネットワークエンティティとの通信カバレッジにあり得る。一態様では、ネットワークエンティティ20は、進化型パケットコア(EPC)22を含むロングタームエボリューション(LTE)ネットワーク24内のeNodeBなどの基地局であり得る。様々な態様がUMTS HSPAネットワークに関連して説明されているが、LTEネットワーク、エボリューションデータ最適化(EV-DO)ネットワーク、または他のワイヤレス広域ネットワーク(WWAN)においても同様の原理が適用され得る。ワイヤレスネットワークは、ダウンリンク(別名、順方向リンク)におけるネットワークによるデータ割当てが、アップリンク(別名、逆方向リンク)におけるUE12によるチャネル品質報告の関数である方式を使用することができる。一例では、UE12は、ネットワークエンティティ14から、および/またはネットワークエンティティ14に、ならびに/あるいはネットワークエンティティ20から、および/またはネットワークエンティティ20に、ワイヤレス通信を送信および/または受信することができる。一態様では、UE12は、圧縮モードで、接続モード(たとえば、CELL_DCH状態)で動作することができる。たとえば、UE12は、ネットワークエンティティ14とアクティブに通信していてよい。圧縮モードは、して、たとえば、異なる搬送波周波数および/または無線アクセス技術(RAT)を使用することができるネットワークエンティティ20などの別のセルを測定するために、UE12がネットワークエンティティ14との通信を中断する、送信ギャップを生成することができる。圧縮モードはまた、UE12がネットワークエンティティ20とアクティブに通信しているとき(たとえば、接続モードで)に使用され得る。
【００２２】
一態様では、ネットワークエンティティ14は、高速パケットアクセス(HSPA)エアインターフェースを介してUE12と通信することができる。HSPAは、ハイブリッド自動再送要求(HARQ)、共有チャネル送信、ならびに適応変調および符号化を利用する。HSPAを定義する標準は、HSDPA(高速ダウンリンクパケットアクセス)およびHSUPA(高速アップリンクパケットアクセス、拡張アップリンクまたはEULとも呼ばれる)を含む。HSDPAはそのトランスポートチャネルとして高速ダウンリンク共有チャネル(HS-DSCH)を利用する。HS-DSCHは、3つの物理チャネル、すなわち、高速物理ダウンリンク共有チャネル(HS-PDSCH)、高速共有制御チャネル(HS-SCCH)、および高速専用物理制御チャネル(HS-DPCCH)によって実装される。これらの物理チャネルのうち、HS-PDSCHは、特定のスケジューリングされたUEによって復号されるべきトランスポートブロックを搬送する。HS-SCCHは、各サブフレームにおいて、どのUEがHS-PDSCH上でスケジューリングされているかを示す。HS-DPCCHは、対応するパケット送信の復号が成功したかどうかを示すために、HARQ ACK/NACKシグナリングをアップリンクで搬送する。すなわち、ダウンリンクに関して、UE12は、ダウンリンク上でパケットを正しく復号したかどうかを示すために、HS-DPCCHを介してネットワークエンティティ14にフィードバックを提供する。HS-DPCCHは、nodeB14が変調および符号化方式、ならびにプリコーディング重み選択に関して正しい決定を行うのを助けるために、UE12からのフィードバックシグナリングをさらに含み、このフィードバックシグナリングは、CQIおよびPCIを含む。一態様では、現在のサブフレームが決定論的ヌルスケジューリングによって影響を受ける場合、報告されたCQI値は、チャネル測定値に基づいて計算されたCQI値と補償CQI値のうちの小さい方であり得ることが好ましい。
【００２３】
ダウンリンク通信において、ネットワークエンティティ14は、様々な変調方式(たとえば、バイナリ位相シフトキーイング(BPSK)、直角位相シフトキーイング(QPSK)、M-位相シフトキーイング(M-PSK)、M-直交振幅変調(M-QAM)など)に基づいて、信号(たとえば、HS-PDSCH)を送信することができる。たとえば、ネットワークエンティティ14は、サブフレームごとにHS-PDSCHのために使用される変調および符号化方式を適合させることができる。チャネル推定値は、ダウンリンク送信のための符号化、変調、拡散、および/またはスクランブリング方式を決定するために使用され得る。これらのチャネル推定値は、UE12によって送信された基準信号から、またはUE12から受信されたCQI値から導出され得る。CQI値は、計算されたCQI値であってもよく、補償CQI値であってもよい。しかしながら、CQI決定は、ネットワークエンティティ14に対してトランスペアレントであり得る。したがって、ネットワークエンティティ14は、CQI値がUEによってどのように決定されるかにかかわらず、符号化、変調、拡散、および/またはスクランブリング方式を決定することができる。
【００２４】
いくつかの態様では、UE12はまた、当業者によって(ならびに、本明細書では交換可能に)、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、端末、ユーザエージェント、モバイルクライアント、クライアント、または他の何らかの適切な用語と呼ばれ得る。UE12は、セルラー電話、携帯情報端末(PDA)、ワイヤレスモデム、ワイヤレス通信デバイス、ハンドヘルドデバイス、タブレットコンピュータ、ラップトップコンピュータ、コードレス電話、ワイヤレスローカルループ(WLL)ステーション、全地球測位システム(GPS)デバイス、マルチメディアデバイス、ビデオデバイス、デジタルオーディオプレーヤ(たとえば、MP3プレーヤー)、カメラ、ゲーム機、ウェアラブルコンピューティングデバイス(たとえばスマートウォッチ、スマートグラス、健康またはフィットネストラッカーなど)、電化製品、センサ、車両通信システム、医療デバイス、自動販売機、モノのインターネット(Internet-of-Things)のためのデバイス、または他の何らかの同様の機能デバイスであってもよい。さらに、ネットワークエンティティ14は、マクロセル、ピコセル、フェムトセル、中継器、nodeB、モバイルnodeB、UE(たとえば、UE12とピアツーピアまたはアドホックモードで通信する)、またはUE12においてワイヤレスネットワークアクセスを提供するためにUE12と通信することができる実質的に任意のタイプの構成要素であってもよい。
【００２５】
本態様によれば、UE12は、CQI値を報告するように構成されたチャネル品質構成要素30と組み合わせて動作することができる1つまたは複数のプロセッサ103を含むことができる。たとえば、チャネル品質構成要素30は、計算されたCQI値または補償CQI値のいずれかを報告することができる。一態様では、本明細書で使用される「構成要素」という用語は、システムを構成する部品の1つであってもよく、ハードウェア、ファームウェア、および/またはソフトウェアであってもよく、他の構成要素に分割されてもよい。チャネル品質構成要素30は、RF信号を受信して処理するための受信機32と、RF信号を処理して送信するための送信機34とを含み得るトランシーバ106に通信可能に結合され得る。チャネル品質構成要素30は、UE12のスケジューリングレートを決定するためのスケジューリングレート構成要素40と、計算されたCQI値がUE12の決定論的ヌルスケジューリングによって影響を受けるかどうかを決定するための決定論的スケジューリング構成要素42と、測定値に基づいてCQI値を決定するための計算されたCQI構成要素44と、補償CQI値を決定するための補償CQI構成要素46とを含み得る。プロセッサ103は、少なくとも1つのバス110を介してトランシーバ106およびメモリ130に結合され得る。
【００２６】
受信機32は、データを受信するためにプロセッサによって実行可能なハードウェア、ファームウェア、および/またはソフトウェアコードを含むことができ、コードは命令を備え、メモリ(たとえば、コンピュータ可読媒体)に記憶される。受信機32は、たとえば、無線周波数(RF)受信機であってよい。一態様では、受信機32は、ネットワークエンティティ14によって送信された信号を受信し、復号することができる。受信機32は、計算されたCQI値を決定するために使用され得る信号の測定値を取得することができる。たとえば、受信機32はEc/Io、SNR等を決定することができる。さらに、受信機32は、BLERを決定することができる。受信機32が信号によって搬送されるトランスポートブロックを首尾よく復号できない場合(たとえば、CRC失敗)、ブロックエラーが記録され得る。BLERは、受信された全トランスポートブロックに対するブロックエラーの比率を表すことができる。高いブロックエラーレートは、CQI値が高すぎることを示すことがある。受信機32はまた、1つまたは複数のサブフレームのSBLERを決定することができる。
【００２７】
送信機34は、データを送信するためにプロセッサによって実行可能なハードウェア、ファームウェア、および/またはソフトウェアコードを含むことができ、コードは命令を備え、メモリ(たとえば、コンピュータ可読媒体)に記憶される。送信機34は、たとえば、RF送信機であってよい。送信機34は、設定された時間間隔の間に決定されたCQI値を送信することができる。たとえば、CQI値は、アップリンク高速専用物理制御チャネル(HS-DPCCH)上で搬送され得る。HS-DPCCHのタイミングは、受信機32によって受信されたダウンリンクチャネルのタイミングに基づき得る。同様に、LTEシステムにおいて、送信機34は、決定されたCQI値を物理アップリンク制御チャネル(PUCCH)または物理アップリンク共有チャネル(PUSCH)上で定期的に送信することができる。
【００２８】
一態様では、1つまたは複数のプロセッサ103は、1つまたは複数のモデムプロセッサを使用するモデム108を含むことができる。チャネル品質構成要素30に関連する様々な機能は、モデム108および/またはプロセッサ103に含まれてもよく、一態様では、単一のプロセッサによって実行されてもよく、他の態様では、機能のうちの異なる機能が2つ以上の異なるプロセッサの組合せによって実行されてもよい。たとえば、一態様では、1つまたは複数のプロセッサ103は、モデムプロセッサ、またはベースバンドプロセッサ、またはデジタル信号プロセッサ、または送信プロセッサ、あるいはトランシーバ106に関連付けられるトランシーバプロセッサのうちの任意の1つまたは任意の組合せを含むことができる。具体的には、1つまたは複数のプロセッサ103は、UE12のスケジューリングレートを決定するためのスケジューリングレート構成要素40と、計算されたCQI値がUE12の決定論的ヌルスケジューリングによって影響を受けるかどうかを決定するための決定論的スケジューリング構成要素42と、測定値に基づいてCQI値を決定するための計算されたCQI構成要素44と、補償CQI値を決定するための補償CQI構成要素46とを含む、チャネル品質構成要素30に含まれる構成要素を実装することができる。
【００２９】
スケジューリングレート構成要素40は、UE12のスケジューリングレートを決定するためにプロセッサ103によって実行可能なハードウェア、ファームウェア、および/またはソフトウェアコードを含むことができ、コードは命令を備え、メモリ(たとえば、コンピュータ可読媒体)に記憶される。スケジューリングレートは、UE12がデータを受信するようにスケジューリングされる頻度を示すことができる。一態様では、スケジューリングレートは、直近のサブフレームの数の中のUE12のスケジューリングされたサブフレームの数に基づいて決定され得る。たとえば、スケジューリングレートは、最後のN個のサブフレーム内のスケジューリングされたサブフレームの数をNで割ったものとして計算され得る。一態様では、スケジューリングレート構成要素40は、決定論的ヌルスケジューリングを有するサブフレームを最後のN個のサブフレームから除外して、スケジューリングレートが利用可能なサブフレーム上のスケジューリングのレートを示すようにすることができる。スケジューリングレートは、データレートであってもよい。たとえば、ある時間期間中に受信されたダウンリンクデータの量に基づいて、スケジューリングレートが決定され得る。スケジューリングレート構成要素40はまた、決定されたスケジューリングレートをしきい値と比較することができる。しきい値は、UE12がビジーであるとみなされるレベルを示すことができる。UE12がビジー状態にある場合、報告されたCQI値の人為的な増加は、ブロックエラーのためにUE12のスループットの低下をもたらす可能性がある。反対に、UEがビジーでない場合、スループットはそれほど重要ではないか、またはより小さいブロックサイズのためにブロックエラーが起こりにくい可能性がある。
【００３０】
決定論的スケジューリング構成要素42は、計算されたCQI値が決定論的スケジューリングによって影響を受けるかどうかを決定するためにプロセッサ103によって実行可能なハードウェア、ファームウェア、および/またはソフトウェアコードを含むことができ、コードは命令を備え、メモリ(たとえば、コンピュータ可読媒体)に記憶される。一態様では、決定論的ヌルスケジューリングは、UE12はダウンリンクチャネル上でダウンリンク送信を受信するようにスケジューリングされないことをUE12が予測できる、任意のサブフレームを含むことができる。対照的に、ダウンリンクリソースが他のUEに使用されているために、またはUEのためのダウンリンクトラフィックの欠如のために、UEがスケジューリングされていないサブフレームは、決定論的ヌルスケジューリングとは考えられない可能性がある。決定論的スケジューリング構成要素42および/またはメモリ130は、ヌルスケジューリングを決定するために使用され得るスケジューリング情報を記憶することができる。決定論的ヌルスケジューリングは、測定値(たとえば、SINR)がチャネル上のダウンリンク送信によって引き起こされるチャネル間干渉を含まない場合があるため、計算されたCQI値に影響を及ぼす可能性がある。
【００３１】
たとえば、決定論的ヌルスケジューリングは、圧縮モード送信ギャップに関連して、またはそれに起因して発生し得る。決定論的スケジューリング構成要素42は、ネットワークエンティティ14によってシグナリングされたパラメータに基づいて、圧縮モード送信ギャップのタイミングを決定することができる。パラメータは、スケジューリング情報として決定論的スケジューリング構成要素42および/またはメモリ130によって記憶され得る。決定論的スケジューリング構成要素42はさらに、どのサブフレームが圧縮モード送信ギャップによって影響を受けるかを決定することができる。たとえば、構成された値xは、送信ギャップによって影響を受ける送信ギャップの開始前のサブフレームの数を示すことができる。xの値は、ネットワークエンティティ14の構成に基づくことができる。一態様では、決定論的スケジューリング構成要素42は、UE12が送信ギャップの開始前にHS-DPSCH上でスケジューリングされていないサブフレームの数に基づいて(たとえば、観測されたパターンに基づいて)xの値を決定することができる。たとえば、xの値は、HS-DPSCH上で決定論的ヌルスケジューリングを有するサブフレームの数を示すことができる。決定論的スケジューリング構成要素42は、送信ギャップによって影響を受けた送信ギャップの終了後のサブフレームの数を決定するために、構成された値yを使用することができる。影響を受けたサブフレームは、送信ギャップ中の基準期間中にダウンリンク測定が実行されなかったために、CQI報告が許可されないサブフレームを含むことができる。送信ギャップ後に影響を受けたサブフレームはまた、UE12がスケジューリングされていない(たとえば、HS-SCCHサブフレームが送信ギャップと重複したため)可能性がある送信ギャップの直後に行われた測定値に基づくサブフレームを含むことができる。
【００３２】
決定論的ヌルスケジューリングはまた、UE12がスケジューリングされる可能性が低いサブフレームをUE12が認識している可能性があるときはいつでも発生し得る。たとえば、いくつかのサブフレームについて受信機32をオフにするために、接続モード不連続受信(CDRX)が使用され得る。決定論的スケジューリング構成要素42および/またはメモリ130は、スケジューリング情報としてCDRX期間を記憶することができる。一態様では、決定論的スケジューリング構成要素42は、UE12がCDRX期間(たとえば、CDRX期間の直後のサブフレーム)に関連するサブフレームにおいてスケジューリングされる可能性は低いと決定することができる。別の例として、UE12は、UE12がデータ(たとえば、ストリーミング媒体のための大きな周期的バースト)を定期的に受信するデータ呼であり得る。決定論的スケジューリング構成要素42は、UE12がデータ呼の特性に基づいてスケジューリングされる可能性の低いサブフレームを決定することができる。たとえば、決定論的スケジューリング構成要素42は、UE12が様々なイベントの前後にスケジューリングされない時間期間を測定することによって、スケジューリングパターンを決定することができる。さらなる例として、決定論的ヌルスケジューリングは、RF条件以外の理由でゼロ(0)のCQI値の報告に応答して発生することができる。UE12は、様々な理由によりゼロ(0)のCQI値を報告することができる。決定論的スケジューリング構成要素42は、報告されたゼロのCQI値(0)に続くサブフレームにおいてヌルスケジューリングを予期することができる。決定論的ヌルスケジューリングが発生し得る他の状況は、トランシーバを別の無線アクセス技術およびより高い層の再構成(たとえば、無線リソース制御(RRC)層再構成)にチューンアウェイ(tune away)することを含む。決定論的スケジューリング構成要素42は、現在のサブフレームが決定論的ヌルスケジューリングを有するサブフレームの前後の時間期間内にあるとき、現在のサブフレームが決定論的ヌルスケジューリングによって影響を受けると決定することができる。
【００３３】
計算されたCQI構成要素44は、測定値に基づいてCQI値を決定するためにプロセッサ103によって実行可能なハードウェア、ファームウェア、および/またはソフトウェアコードを含むことができ、コードは命令を備え、メモリ(たとえば、コンピュータ可読媒体)に記憶される。たとえば、計算されたCQI構成要素44は、基準期間中の測定値に基づいてCQI値を決定することができる。一態様では、基準期間は、現在のサブフレームに先行する3つのスロット(サブフレーム)であってもよい。計算されたCQI値は、たとえば、信号対雑音比(SNR)SINR、および/またはEc/Ioなどの測定されたチャネル品質に基づいて、当技術分野で知られている方法によって決定され得る。たとえば、CQI値は、Ec/Io測定に基づき得るSNRまたはSINRに従ってルックアップテーブルを使用して計算され得る。計算されたCQI値は、UE12が所与のBLER(たとえば、10%未満)で受信できなければならないトランスポートブロックサイズおよび/または変調ならびに符号化方式を示すことができる。
【００３４】
補償CQI構成要素46は、補償CQI値を決定するためにプロセッサ103によって実行可能なハードウェアおよび/またはソフトウェアコードを含むことができ、コードは命令を備え、メモリ(たとえば、コンピュータ可読媒体)に記憶される。補償CQI値は、測定およびCQI値計算に対するヌルスケジューリングの影響を補償するCQI値であり得る。一態様では、補償CQI値は、基準期間中に測定することなしに決定され得る。たとえば、補償CQI値は、複数の直近にスケジューリングされたサブフレームについての平均的な報告されたCQI値に基づいて決定され得る。たとえば、平均は、HS-PDSCHがスケジューリングされたN個の直近のサブフレームに基づくことができる。Nは、たとえば5であってよい。別の例として、補償CQI値は、複数の直近にスケジューリングされたサブフレームの間に報告されたCQI値から最小の報告されたCQI値を選択することによって決定され得る。別の例として、補償CQI値は固定値であってもよい。一態様では、固定値は、事前設定されてもよく、ネットワークエンティティによって構成されてもよく、および/またはメモリ(たとえば、メモリ130)に記憶されてもよい。別の例として、補償されたCQI値は、現在の計算されたCQI値、平均的な報告されたCQI値、または最小の報告されたCQI値などの別のCQI値を減少させることによって決定され得る。たとえば、(たとえば、スケーリング係数を適用することによって)他のCQI値をスケーリングすること、オフセットを適用すること、入力パラメータをCQI計算に調整すること、または別の方法でより低いCQI値を生成することによって、CQI値を低減することができる。
【００３５】
さらに、一態様では、UE12は、無線送信、たとえばネットワークエンティティ14またはネットワークエンティティ20によって送信されたワイヤレス通信26を受信および送信するためのRFフロントエンド104およびトランシーバ106を含むことができる。たとえば、トランシーバ106は、ネットワークエンティティ14によって送信されたHS-PDSCHまたはHS-SCCH上でパケットを受信することができる。UE12は、メッセージ全体を受信すると、パケットが正しく受信されたかどうかを決定するために、パケットを復号し、巡回冗長検査(CRC)を実行することができる。たとえば、トランシーバ106は、チャネル品質構成要素30によって生成されたメッセージを送信し、メッセージを受信してそれらのメッセージをチャネル品質構成要素30に転送するために、モデム108と通信することができる。
【００３６】
RFフロントエンド104は1つまたは複数のアンテナ102に接続され得、1つまたは複数の低雑音増幅器(LNA)141、1つまたは複数のスイッチ142、143、1つまたは複数の電力増幅器(PA)145、およびRF信号を送受信するための1つまたは複数のフィルタ144を含むことができる。一態様では、RFフロントエンド104の構成要素は、トランシーバ106と接続することができる。トランシーバ106は、1つまたは複数のモデム108およびプロセッサ103に接続することができる。
【００３７】
一態様では、LNA141は、所望の出力レベルで受信信号を増幅することができる。一態様では、各LNA141は、特定の最小および最大利得値を有することができる。一態様では、RFフロントエンド104は、特定のアプリケーションの所望の利得値に基づいて、特定のLNA141およびその特定の利得値を選択するために、1つまたは複数のスイッチ142、143を使用することができる。一態様では、RFフロントエンド104は、チャネル品質測定値を決定するために、測定値(たとえば、Ec/Io)および/または適用された利得値を、トランシーバ106および/または計算されたCQI構成要素44に提供することができる。
【００３８】
さらに、RF出力の信号を所望の出力電力レベルで増幅するために、たとえば、RFフロントエンド104によって1つまたは複数のPA145が使用され得る。一態様では、各PA145は、特定の最小および最大利得値を有することができる。一態様では、RFフロントエンド104は、特定のアプリケーションの所望の利得値に基づいて、特定のPA145およびその特定の利得値を選択するために、1つまたは複数のスイッチ143、146を使用することができる。
【００３９】
また、たとえば、入力RF信号を取得するために受信信号をフィルタリングするために、RFフロントエンド104によって1つまたは複数のフィルタ144が使用され得る。同様に、一態様では、たとえば、送信用の出力信号を生成するためにそれぞれのPA145からの出力をフィルタリングするために、それぞれのフィルタ144が使用され得る。一態様では、各フィルタ144は、特定のLNA141および/またはPA145に接続され得る。一態様では、RFフロントエンド104は、トランシーバ106および/またはプロセッサ103によって指定された構成に基づいて、特定のフィルタ144、LNA141、および/またはPA145を使用して、送信または受信経路を選択するために、1つまたは複数のスイッチ142、143、146を使用することができる。
【００４０】
トランシーバ106は、RFフロントエンド104を介してアンテナ102を通じてワイヤレス信号を送受信するように構成され得る。一態様では、トランシーバは、UE12が、たとえば、ネットワークエンティティ14またはネットワークエンティティ20と通信できるように、指定された周波数で動作するように調整され得る。一態様では、たとえば、モデム108は、トランシーバ106を、UE12のUE構成およびモデム108によって使用される通信プロトコルに基づいて、指定された周波数および電力レベルで動作するように構成することができる。
【００４１】
一態様では、モデム108は、トランシーバ106を使用してデジタルデータを送受信されるように、デジタルデータを処理してトランシーバ106と通信することができるマルチバンドマルチモードモデムであり得る。一態様では、モデム108はマルチバンドであり得、また特定の通信プロトコルのために複数の周波数帯域をサポートするように構成され得る。一態様では、モデム108はマルチモードであり得、また複数の動作ネットワークおよび通信プロトコルをサポートするように構成され得る。一態様では、モデム108は、特定のモデム構成に基づいてネットワークからの信号の送信および/または受信を可能にするために、UE12の1つまたは複数の構成要素(たとえば、RFフロントエンド104、トランシーバ106)を制御することができる。一態様では、モデム構成は、モデムのモードおよび使用中の周波数帯域に基づき得る。別の態様では、モデム構成は、セル選択および/またはセル再選択中にネットワークによって提供されるUE12に関連付けられるUE構成情報に基づき得る。
【００４２】
UE12は、本明細書で使用されるデータ、および/あるいはアプリケーションまたはチャネル品質構成要素30のローカルバージョン、および/あるいはプロセッサ103によって実行されているそのサブ構成要素のうちの1つまたは複数を記憶するためのメモリ130をさらに含むことができる。メモリ130は、ランダムアクセスメモリ(RAM)、読出し専用メモリ(ROM)、テープ、磁気ディスク、光ディスク、揮発性メモリ、不揮発性メモリ、およびそれらの任意の組合せなどの、コンピュータまたはプロセッサ103によって使用可能な任意のタイプのコンピュータ可読媒体を含むことができる。一態様では、たとえば、メモリ130は、UE12がチャネル品質構成要素30および/またはそのサブ構成要素のうちの1つまたは複数を実行するためにプロセッサ103を動作させるときに、チャネル品質構成要素30、および/あるいはそのサブ構成要素のうちの1つまたは複数、および/あるいはそれに関連付けられるデータを定義する1つまたは複数のコンピュータ実行可能コードを記憶するコンピュータ可読記憶媒体であってもよい。別の態様では、たとえば、メモリ130は、非一時的コンピュータ可読記憶媒体であり得る。
【００４３】
図2を参照すると、動作態様では、UE12(図1)などのUEは、CQI報告のための方法200の一態様を実行することができる。説明の簡略化のために、本方法は一連の動作として示され、記載されているが、本方法(およびそれに関連するさらなる方法)は、行為の順序によって限定されず、いくつかの動作は、1つまたは複数の態様に従って、本明細書に示し説明したものとは異なる順序で、および/または他の行為と同時に発生し得ることが理解および認識されるべきである。たとえば、方法は、代わりに、状態図などにおいて、一連の相互に関係する状態またはイベントとして表されてもよいことを諒解されたい。さらに、本明細書で説明する1つまたは複数の特徴に従って方法を実装するために、図示したすべての動作が必要とされるとは限らない場合がある。
【００４４】
一態様では、ブロック202において、方法200は、スケジューリングレートがしきい値よりも大きいと決定するステップを任意に含むことができる。一態様では、たとえば、スケジューリングレート構成要素40(図1)は、UE12のスケジューリングレートがしきい値よりも大きいと決定することができる。一態様では、方法200は、スケジューリングレートがしきい値よりも大きいと決定するステップに応答して、ブロック204に進むことができる。
【００４５】
一態様では、ブロック204において、方法200は、現在のサブフレームにおいて報告されるべき計算されたCQI値が決定論的ヌルスケジューリングによって影響を受けると決定するステップを含むことができる。一態様では、たとえば、決定論的スケジューリング構成要素42(図1)は、現在のサブフレームにおいて報告されるべき計算されたCQI値が決定論的ヌルスケジューリングによって影響を受けると決定することができる。たとえば、決定論的スケジューリング構成要素42は、現在のサブフレームがパラメータxおよびyによって定義された時間期間内にあると決定することができる。決定論的スケジューリング構成要素42はまた、現在のサブフレームが圧縮モードギャップ内にないため、CQI報告が許可されると決定することができる。一態様では、方法200はまた、計算されたCQI値が、高速物理ダウンリンク共有チャネル(HS-PDSCH)上の別の形態の決定論的ヌルスケジューリングによって影響を受けると決定するステップを含むことができる。たとえば、決定論的スケジューリング構成要素42は、UE12が特定のサブフレームにおいてスケジューリングされる可能性は低いと決定することができる。次いで、決定論的スケジューリング構成要素42は、現在のサブフレームが、たとえば、ヌルスケジューリングされたサブフレームと現在のサブフレームとの間の時間に基づいてヌルスケジューリングによって影響を受けるかどうかを決定することができる。
【００４６】
一態様では、ブロック206において、方法200は、補償CQI値を決定するステップをさらに含むことができる。一態様では、たとえば、補償CQI構成要素46は、補償CQI値を決定することができる。たとえば、補償CQI構成要素46は、複数の直近にスケジューリングされたサブフレームについての平均的な計算されたCQI値に基づいて補償CQI値を決定することができる。別の例として、補償CQI構成要素46は、複数の直近にスケジューリングされたサブフレームについて報告されたCQI値から最小の計算されたCQIを選択することによって補償CQI値を決定することができる。補償CQI構成要素46はまた、固定値に基づいて、または別のCQI値を低減することによって、補償CQI値を決定することができる。
【００４７】
一態様では、ブロック208において、方法200は、計算されたCQI値が決定論的ヌルスケジューリングによって影響を受けるとの決定に応答して、計算されたCQI値と補償CQI値のうちの小さい方を報告するステップを含むことができる。一態様では、たとえば、送信機34は、計算されたCQI値と補償CQI値のうちの小さい方を報告することができる。一態様では、たとえば、計算されたCQI値は、計算されたCQI構成要素44(図1)によって決定され得る。一般的に、小さい方のCQI値は、より低い品質チャネル状態を示す。現在のサブフレームが決定論的ヌルスケジューリングによって影響を受ける場合、補償CQI値は、通常、計算されたCQI値よりも小さくなる。しかしながら、計算されたCQI値は、たとえば、チャネル品質が突然悪化した場合、補償CQI値よりも小さくなる場合がある。したがって、計算されたCQI値と補償CQI値のうちの小さい方を報告するステップは、チャネル状態の変化を説明することができる。
【００４８】
図3は、CQIを報告する別の方法300を示すフローチャートであり、方法300は、本開示の態様を実装する1つの特定の使用例を表すことができる。このように、方法300は、方法200(図2)のより詳細な実装形態を表すことができる。たとえば、動作態様では、UE12(図1)などのUEは、CQI報告のための方法300の一態様を実行することができる。説明の簡略化のために、本方法は一連の動作として示され、記載されているが、本方法(およびそれに関連するさらなる方法)は、行為の順序によって限定されず、いくつかの動作は、1つまたは複数の態様に従って、本明細書に示し説明したものとは異なる順序で、および/または他の行為と同時に発生し得ることが理解および認識されるべきである。たとえば、方法は、代わりに、状態図などにおいて、一連の相互に関係する状態またはイベントとして表されてもよいことを諒解されたい。さらに、本明細書で説明する1つまたは複数の特徴に従って方法を実装するために、図示したすべての動作が必要とされるとは限らない場合がある。
【００４９】
ブロック302において、方法300は、UE12が圧縮モードを有する専用チャネル(DCH)状態においてアクティブ高速呼を有する場合に開始することができる。一態様では、たとえば、チャネル品質構成要素30は、UE12が、圧縮モードを有するDCH状態においてアクティブ高速呼を有するときを決定することができる。
【００５０】
ブロック304において、方法300は、スケジューリングレートがしきい値Dより大きいかどうかを決定するステップを含むことができる。一態様では、たとえば、スケジューリングレート構成要素40は、スケジューリングレートがしきい値Dより大きいかどうかを決定することができる。たとえば、しきい値Dは、UE12のスケジューリングされたサブフレームに基づくスケジューリングレートについて、約60%〜約90%の間に構成され得る。スケジューリングレートがしきい値を超えていない場合、方法300はブロック306に進むことができ、ブロック306において、スケジューリングレート構成要素40は、断続的なトラフィックのみがスケジューリングされると決定することができる。したがって、スケジューリングレート構成要素40は、現在のサブフレームのCQI報告を変更する必要がないと決定することができる。方法300は、次のサブフレームのためにブロック304に戻ることができる。
【００５１】
スケジューリングレートがしきい値Dよりも大きい場合、ブロック308において、方法300は、決定論的ヌルスケジューリング(たとえば、圧縮モードギャップ)が次のxサブフレーム内で開始するか、または決定論的ヌルスケジューリングの終了が最後のyのサブフレーム内にあるかを決定するステップを含むことができる。一態様では、たとえば、決定論的スケジューリング構成要素42は、圧縮モードギャップが次のxサブフレーム内で開始するか、または圧縮モードギャップの終了が最後のyサブフレーム内にあるかを決定することができる。パラメータxおよびyは、整数であり得る。圧縮モードギャップが次のxサブフレーム内で開始せず、圧縮モードギャップの終了が最後のyサブフレーム内にない場合、ブロック310において、決定論的スケジューリング構成要素42は、現在のサブフレームが圧縮モードギャップに対する非隣接サブフレームであると決定することができる。言い換えれば、現在のサブフレームは圧縮モードギャップによって影響を受けない場合がある。したがって、決定論的スケジューリング構成要素42は、現在のサブフレームのCQI報告を変更する必要がないと決定することができる。方法300は、次のサブフレームのためにブロック304に戻ることができる。
【００５２】
現在のサブフレームが隣接サブフレーム(たとえば、圧縮モードギャップによって影響を受ける)である場合、ブロック312において、方法300は、CQI値を計算されたCQI値または補償CQI値Kの最小値に設定するステップを含むことができる。計算されたCQI値は、計算されたCQI構成要素44によって決定され得る。補償CQI値Kは、補償CQI構成要素46によって決定され得る。
【００５３】
ブロック314において、方法300は、HS-DPCCH上でCQI値を報告するステップを含むことができる。一態様では、たとえば、送信機34は、HS-DPCCH上でCQI値を報告することができる。報告されたCQI値は、ネットワークエンティティ14においてスケジューリングに対する圧縮モードギャップの影響を低減するために役立ち得る。たとえば、報告されたCQI値は、人為的にブーストされたCQIを回避することができ、今度は、ネットワークエンティティ14が、UE12が復号できない変調方式またはブロックサイズを選択することを妨げることができる。したがって、報告されたCQI値は、復号エラーを低減することによってダウンリンクスループットを改善することができる。CQI値を報告した後、方法300は、次のサブフレームのためにブロック304に戻ることができる。
【００５４】
図4は、高速チャネルにおける圧縮モード送信ギャップのタイミングを示す図400である。一態様では、決定論的ヌルスケジューリングを有するサブフレームは、圧縮モード送信ギャップのタイミングに基づいて決定され得る。図400において、チャネルは、一連のサブフレームによって表され得る。一態様では、HSPAシステムは、2ミリ秒(ms)のサブフレーム(送信時間間隔(TTI)とも呼ばれる)を有することができ、各TTIが3つのスロットを備える。図400に示されるように、チャネルのタイミングは、ブロック処理グループ(BPG)の単位で変更されてもよく、スロットの1/10(約0.067ms)に等しくてもよい。
【００５５】
共通パイロットチャネル(CPICH)402は、ネットワークエンティティ14によって絶えず送信され得る。CPICH402は、測定を行うためにUE12によって使用され得る。他のチャネルのタイミングは、CPICHに基づき得る。高速共有制御チャネル(HS-SCCH)404は、UE12のスケジューリング情報を搬送するためにネットワークエンティティ14によって送信され得る。たとえば、HS-SCCH404は、UE12が高速物理ダウンリンク共有チャネル(HS-PDSCH)408上でデータを受信するようにスケジューリングされているかどうかを示すことができる。HS-SCCH404はまた、変調および符号化方式を示すことができる。ダウンリンクDPCH406は、UE12の専用チャネルであり得る。一態様では、ダウンリンクDPCH406は、タイミングオフセットを有するわずかなDPCH406であり得る。たとえば、図400に示されるタイミングオフセットは2bpgであり得る。HS-PDSCH408は、1つまたは複数のUEのためのダウンリンクトラフィックを搬送することができる。高速専用物理制御チャネル(HS-DPCCH)410は、HS-PDSCH408に関してネットワークエンティティ14にフィードバックを提供するためにUE12によって使用されるアップリンクチャネルであり得る。特に、HS-DPCCH410は、以前のHS-DPCCHサブフレームに対応するサブフレーム内にACK/NACK部分およびCQI部分を含むことができる。HS-DPCCHのサブフレームは、HS-PDSCHの対応するサブフレームの後に5スロット(75bpgまたは19200チップ)送信され得る。
【００５６】
圧縮モードギャップ420、422は、DPCH406のタイミングに基づき得る。たとえば、ネットワークエンティティ14またはRNC16(図1)は、DPCHに基づいて圧縮モードギャップスケジューリングでUE12(図1)を構成することができる。一態様では、圧縮モードギャップ420は最大7スロットであり得る。2つの圧縮モードギャップは連続するフレームにおいて連続的にスケジューリングされ得、最大で全長14スロットが得られる。圧縮モードギャップ420の間、UE12は、圧縮モードギャップ420と重複するHS-SCCH404およびHS-PDSCH408のあらゆるサブフレームの受信を無視することができる。したがって、圧縮モードギャップのタイミングがUE12に知られているので、圧縮モードギャップと重複するあらゆるサブフレームは、決定論的ヌルスケジューリングを有すると考えられ得る。UE12はまた、圧縮モードギャップ420中にHS-DPCCH410のACK/NACK部分を送信することを控えるために、不連続送信(DTX)を使用することができる。同様に、UE12は、圧縮モードギャップ420と重複するHS-DPCCH412のCQI部分を送信することを控えることができる。UE12はまた、CQIを決定するために使用される基準スロットが圧縮モードギャップ420と重複する場合、CQIを送信することを控えることができる。圧縮モードギャップ422は、後で生じることを除いて、圧縮モードギャップ420と同様であってもよい。
【００５７】
圧縮モードギャップ420は、上述のチャネルに影響を与え場合がある。たとえば、サブフレーム1014、1015、および1016においては圧縮モードギャップ420との重複のために、またサブフレーム1021、1022、および1023においては圧縮モードギャップ422との重複のために、HS-SCCH404が復号されない場合がある。したがって、サブフレーム1014、1015、1016、1021、1022、および1023は、これらのサブフレーム上のスケジューリング情報を読み取ることができないため、決定論的ヌルスケジューリングを有すると考えられ得る。さらに、サブフレーム1014および1015においては圧縮モードギャップ420のために、またサブフレーム1021、1022、および1023においては圧縮モードギャップ422のために、HS-PDSCH408が復号化されない場合がある。さらに、HS-SCCH404の復号の欠如のため、たとえこれらのHS-PDSCHサブフレームが圧縮モードギャップ420、422と重複しなくても、サブフレーム1016および1024においてHS-PDSCH408上でUE12がスケジューリングされない場合がある。アップリンクにおいて、HS-DPCCH410は、サブフレーム1011および1012においては圧縮モードギャップ420との重複のために送信されず、サブフレーム1017〜1019においては圧縮モードギャップ420との重複のために送信されない場合がある。さらに、基準期間が圧縮モードギャップ420、422と重複するため、HS-DPCCH410は、サブフレーム1013、1020にCQIを含まない場合がある。
【００５８】
圧縮モードギャップ420、422によって課される上記の制限が与えられると、計算されたCQI値は、他のサブフレームの影響を受ける可能性がある。たとえば、HS-PDSCHは、サブフレーム1017〜1019に対するACK/NACKを受信することができないので、ネットワークエンティティ14は、それらのサブフレームの間にいかなるデータもスケジューリングしない場合がある。したがって、サブフレーム1017〜1019は、決定論的ヌルスケジューリングを有すると考えられ得る。したがって、HS-DPCCH410サブフレーム1014〜1016において報告された計算されたCQI値は、たとえこれらのアップリンクサブフレームが圧縮モードギャップ422と重複しなくても、圧縮モードギャップ422によって影響を受ける可能性がある(基準期間中のHS-PDSCHサブフレーム1017〜1019の決定論的ヌルスケジューリングのため)。また、たとえUE12がHS-DPCCHサブフレーム1014、1015、1021および1022においてCQIを報告することが許可されていても、UE12はそれらのサブフレームの基準期間中にHS-PDSCHの復号をスケジューリングされていないので、計算されたCQI値が影響を受ける可能性がある。さらに、図400に示されるように、圧縮モードギャップ420、422のタイミングに応じて、サブフレーム(たとえば、HS-DPCCHサブフレーム1015)は、サブフレームの前の圧縮モードギャップ420と、サブフレームの後の圧縮モードギャップ422の両方によって影響を受ける可能性がある。
【００５９】
電気通信システムのいくつかの態様が、W-CDMAシステムを参照して提示されている。当業者なら容易に理解するように、本開示の全体にわたって説明した様々な態様は、他の電気通信システム、ネットワークアーキテクチャ、および通信標準に拡張され得る。
【００６０】
一例として、様々な態様は、高速ダウンリンクパケットアクセス(HSDPA)、高速アップリンクパケットアクセス(HSUPA)、高速パケットアクセスプラス(HSPA+)、およびTD-CDMAなどの他のUMTSシステムに拡張され得る。様々な態様はまた、ロングタームエボリューション(LTE)(FDD、TDD、または両方のモードにおいて)、LTE-Advanced(LTE-A)(FDD、TDD、または両方のモードにおいて)、CDMA2000、エボリューションデータ最適化(EV-DO)、ウルトラモバイルブロードバンド(UMB)、IEEE802.11(Wi-Fi)、IEEE802.16(WiMAX)、IEEE802.20、超広帯域(UWB)、Bluetooth(登録商標)を使用するシステム、および/または他の適切なシステムに拡張され得る。使用される実際の電気通信規格、ネットワークアーキテクチャ、および/または通信規格は、特定の用途およびシステムに課された全体的な設計制約に依存する。
【００６１】
本開示の様々な態様によれば、要素、または要素の任意の部分、あるいは要素の任意の組合せは、1つまたは複数のプロセッサを含む「処理システム」によって実装され得る。プロセッサの例は、マイクロプロセッサ、マイクロコントローラ、デジタル信号プロセッサ(DSP)、フィールドプログラマブルゲートアレイ(FPGA)、プログラマブルロジックデバイス(PLD)、ステートマシン、ゲートロジック、ディスクリートハードウェア回路、および本開示を通じて説明される様々な機能を実行するように構成された他の適切なハードウェアを含む。処理システムの中の1つまたは複数のプロセッサは、ソフトウェアを実行してもよい。ソフトウェアは、ソフトウェア、ファームウェア、ミドルウェア、マイクロコード、ハードウェア記述言語、またはそれ以外のものとして言及されているかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、ファンクション等を意味するものと広く解釈されるものとする。ソフトウェアは、コンピュータ可読媒体上に存在してもよい。コンピュータ可読媒体は、非一時的コンピュータ可読媒体とすることができる。非一時的コンピュータ可読媒体は、一例として、磁気ストレージデバイス(たとえば、ハードディスク、フロッピーディスク、磁気ストリップ)、光ディスク(たとえば、コンパクトディスク(CD)、デジタル多用途ディスク(DVD))、スマートカード、フラッシュメモリデバイス(たとえば、カード、スティック、キードライブ)、ランダムアクセスメモリ(RAM)、読出し専用メモリ(ROM)、プログラマブルROM(PROM)、消去可能なPROM(EPROM)、電気的に消去可能なPROM(EEPROM)、レジスタ、リムーバブルディスク、ならびに、コンピュータによってアクセスされ、コンピュータによって読み取られ得るソフトウェアおよび/または命令を記憶するために適している他の任意の媒体格納する媒体を含む。コンピュータ可読媒体は、処理システム内に存在してもよく、処理システムの外部にあってもよく、または処理システムを含む複数の
エンティティに分散されてもよい。コンピュータ可読媒体は、コンピュータプログラム製品で具現化することができる。例として、コンピュータプログラム製品は、パッケージング材料内のコンピュータ可読媒体を含むことができる。当業者であれば、特定の用途およびシステム全体に課せられた全体的な設計制約に応じて、本開示を通じて提示される説明された機能をどのように実施するのが最良であるかを認識するであろう。
【００６２】
開示された方法におけるステップの特定の順序または階層は、例示的なプロセスの例示であることを理解されたい。設計の選好に基づいて、方法内のステップの具体的な順序または階層が再構成され得ることを理解されたい。添付の方法請求項は、サンプルの順序において様々なステップの要素を提示し、その中で特に具陳されない限り、提示される特定の順序または階層に限定されることは意図されていない。
【００６３】
前述の説明は、当業者が本明細書に記載の様々な態様を実施することを可能にするために提供される。これらの態様に対する種々の変更は、当業者には容易に明らかになり、本明細書において規定される一般原理は、他の態様に適用することもできる。したがって、特許請求の範囲は、本明細書に示される態様に限定されることが意図されるものではなく、特許請求の範囲の用語と一致する全範囲が与えられるべきであり、単数の要素への言及は、具体的に述べられていない限り「1つだけ」を意味することが意図されるものではなく、むしろ「1つまたは複数」を意味することが意図される。別段に明記されていない限り、「いくつかの」という用語は1つまたは複数を指している。項目のリストのうちの「少なくとも1つ」を指す句は、単一のメンバーを含むそれらの項目の任意の組合せを指す。例として、「a、b、またはcのうちの少なくとも1つ」は、a、b、c、aおよびb、aおよびc、bおよびc、ならびにa、b、およびcを包含することが意図される。当業者に知られているかまたは後に知られることになる、本開示を通じて説明される様々な態様の要素に対するすべての構造的および機能的同等物は、参照により本明細書に明示的に組み込まれ、特許請求の範囲によって包含されることが意図される。さらに、本明細書に開示されたものはいずれも、そのような開示が特許請求の範囲に明示的に列挙されているかどうかにかかわらず、公衆に捧げられることが意図されるものではない。請求項の要素は、要素が「のための手段」の句を使用して明示的に列挙されていない限り、または方法クレームの場合、要素が「のためのステップ」という句を使用して列挙されていない限り、米国特許法112条第6段落の規定に基づいて解釈されるべきではない。
【符号の説明】
【００６４】
10  ワイヤレス通信システム
12  UE
14  ネットワークエンティティ、ノードB
16  無線ネットワークコントローラ(RNC)
18  ネットワーク
20  ネットワークエンティティ
22  進化型パケットコア(EPC)
24  ロングタームエボリューション(LTE)ネットワーク
26  ワイヤレス通信
30  チャネル品質構成要素
32  受信機
34  送信機
40  スケジューリングレート構成要素
42  決定論的スケジューリング構成要素
44  計算されたCQI構成要素
46  補償CQI構成要素
102  アンテナ
103  プロセッサ
104  RFフロントエンド
106  トランシーバ
108  モデム
110  バス
130  メモリ
141  低雑音増幅器(LNA)
142  スイッチ
143  スイッチ
144  フィルタ
145  電力増幅器(PA)
146  スイッチ
200  方法
300  方法
400  図
402  共通パイロットチャネル(CPICH)
404  高速共有制御チャネル(HS-SCCH)
408  高速物理ダウンリンク共有チャネル(HS-PDSCH)
410  高速専用物理制御チャネル(HS-DPCCH)
412  HS-DPCCH
420  圧縮モードギャップ
422  圧縮モードギャップ
1014  サブフレーム
1015  サブフレーム
1016  サブフレーム
1017  サブフレーム
1018  サブフレーム
1019  サブフレーム
1021  サブフレーム
1022  サブフレーム
1023  サブフレーム
【図１】
0006502516.tif 000002
【図２】
0006502516.tif 000003
【図３】
0006502516.tif 000004
【図４】
0006502516.tif 000005